(57)【要約】【課題】本発明は、人体や環境への影響が少なく、微生物が繁殖しにくく、インキが外気に触れる機会の多い筆記具や種々のインキ供給機構を利用した筆記具にも使用可能な、安全性および保存安定性に優れた筆記具用水性インキ組成物を提供すること。【解決手段】水と、着色剤と、抗菌性物質を含んでなる筆記具用水性インキ組成物において、抗菌性物質としてテアフラビン類を含んでなることを特徴とする筆記具用水性インキ組成物とした。【選択図】  なし【特許請求の範囲】
【請求項１】
少なくとも水と、着色剤と、抗菌性物質と、を含んでなる筆記具用水性インキ組成物において、前記筆記具用水性インキ組成物が、前記抗菌性物質として、テアフラビン類を含んでなることを特徴とする、筆記具用水性インキ組成物。
【請求項２】
前記テアフラビン類が、テアフラビン、テアフラビン誘導体の中から選ばれる少なくとも１種類以上である、請求項１に記載の筆記具用水性インキ組成物。
【請求項３】
前記抗菌性物質が、カテキン類をさらに含んでなる、請求項１または２に記載の筆記具用水性インキ組成物。
【発明の詳細な説明】
【技術分野】
【０００１】
本発明は、筆記具用水性インキ組成物に関する。さらに詳しくは、安全性および保存安定性に優れる筆記具用水性インキ組成物に関する。
【背景技術】
【０００２】
水性インキ組成物は、水を主溶剤として含んでなるため、細菌、黴、または酵母などの微生物が繁殖しやすい。微生物が繁殖するとインキ組成物の腐敗などが起こり、粘度などインキ組成物の物性に変化が生じたり、インキ組成物中に析出物や凝集物などの異物が発生したり、インキ組成物の変色が起きたりするなど、水性インキ組成物としての機能が損なわれることがあった。そこで、抗菌性物質を水性インキ組成物に添加し、微生物などの繁殖を抑制することが盛んに行われている（特許文献１参照）。しかしながら、使用する抗菌性物質によっては、インキ組成物を長期保管した場合、インキ組成が変化してしまうなど保存安定性に問題が生じたり、使用する着色剤の種類によっては、着色剤に抗菌性物質が吸着され、抗菌性物質の効果が十分に発揮されなかったり、また、抗菌性物質自体の耐熱性や安全性が低いなど各種課題が生じている。
【０００３】
特に、筆記具用水性インキ組成物は、インキ瓶などの開閉口を備えるインキ保管容器に収容され、該インキ保管容器から分取して筆記具に充填して用いられる場合があるため外気に触れる機会が多い。そのため、微生物が混入、繁殖し、異物が発生しやすい環境にある。その結果、微生物の繁殖などに起因する析出物や凝集物などの異物が、インキ供給機構内に生じて、インキ供給量が少なくなって筆跡がかすれたり、更には、インキ供給流路が異物で塞がれて、インキの供給ができなくなって筆記ができなくなってしまうなど、抗菌性物質を添加しても、抗菌性物質の種類や添加量によっては、その効果が十分に発揮されず、筆記具用水性インキ組成物としての機能が損なわれてしまうなどの課題を有している。
【０００４】
さらに、筆記具用水性インキ組成物においては、近年、人体や環境における安全性が重要視されている。特に、筆記具用水性インキ組成物がインキ保管容器に収容され、該インキ保管容器から分取して筆記具に充填して使用する場合や、筆記具用水性インキ組成物がカートリッジに収容され、該カートリッジを付け替えてインキを補充して使用する場合などは、使用者の皮膚などの体の一部にインキが直接触れる可能性が高い。そのため、筆記具用水性インキ組成物においては、安全面に対する課題も有している。
【０００５】
保存安定性に対する課題においては、抗菌性物質として５−クロロ−２−メチル−４−イソチアゾリン−３−オンを含んでなるインキ組成物が提案されている（特許文献２参照）。しかしながら、５−クロロ−２−メチル−４−イソチアゾリン−３−オンは、エイムズ試験が陽性である点、皮膚刺激性が強い点など安全性に対して問題が挙げられ、筆記具用水性インキ組成物の抗菌性物質として用いるには適切ではない。
さらに、５−クロロ−２−メチル−４−イソチアゾリン−３−オンより安全性の高い、１，２−ベンズイソチアゾリン−３−オンと２−メチル−４−イソチアゾリン−３−オンとを含んでなるインキ組成物が提案されている（特許文献３参照）。しかしながら、該インキ組成物を、インキ瓶などの開閉口を備えるインキ保管容器に収容され、万年筆などのくし溝を利用したインキ供給機構を備えた筆記具に使用した場合、十分な抗菌効果を得るためには、抗菌性物質をある程度の量、添加しなければならず、安全面において十分ではなかった。
【先行技術文献】
【特許文献】
【０００６】
【特許文献１】特開平８−４８９２９号公報
【特許文献２】特開２００４−１７５８５１号公報
【特許文献３】特開２０１０−２８０７６２号公報
【発明の概要】
【発明が解決しようとする課題】
【０００７】
本発明は、人体や環境への影響が少なく、微生物が繁殖しにくく、インキが外気に触れる機会の多い筆記具や種々のインキ供給機構を利用した筆記具にも使用可能な、安全性、保存安定性に優れた筆記具用水性インキ組成物を提供するものである。
【課題を解決するための手段】
【０００８】
本発明の筆記具用水性インキ組成物は、少なくとも水と、着色剤と、抗菌性物質と、を含んでなる筆記具用水性インキ組成物において、前記筆記具用水性インキ組成物が、前記抗菌性物質として、テアフラビン類を含んでなることを要件とする。
更に、前記テアフラビン類がテアフラビン、テアフラビン誘導体から選ばれる１種以上であることを要件とする。
更には、前記抗菌性物質として、テアフラビン類に加え、カテキン類を含んでなることを要件とする。
【発明の効果】
【０００９】
本発明によれば、抗菌性物質として、テフラビン類などの食品添加物にも用いられるような天然物由来の抗菌性物質を用いたため、従来の筆記具用水性インキ組成物と比べ、極めて安全性が高いインキ組成物となる。さらに、本発明による筆記具用水性インキ組成物は、析出物や凝集物などの異物の発生や変色なども抑制することができることから、保存安定性の向上を図ることができる他、種々のインキ供給機構を利用した筆記具への適用が可能になるなど優れた効果を奏する。
【発明を実施するための形態】
【００１０】
＜筆記具用水性インキ組成物＞
本発明による筆記具用水性インキ組成物は、水と、着色剤と、抗菌性物質と、を含んでなるものである。
【００１１】
本発明による筆記具用水性インキ組成物は、抗菌性物質として、テアフラビン類を含んでなるものである。なお、本発明において、「抗菌性物質」とは、微生物を死滅させる能力または増殖を抑える能力を有する物質のことであり、文献によっては、抗菌剤、殺菌剤、防かび剤および防腐剤と呼ばれることもある。
筆記具用水性インキ組成物は、該インキ組成物を補充して筆記具に使用する場合、使用者の皮膚に触れる可能性があることや、該インキ組成物が開閉口を備えるインキ瓶などに収容されている場合、乳幼児などが誤飲してしまう可能性があることから、筆記具用水性インキ組成物に使用する抗菌性物質は、人体や環境へ影響が少ない抗菌性物質を使用することが望ましい。そのため、筆記具用水性インキ組成物の抗菌性物質として、食品添加物にも用いられるような天然物由来のテアフラビン類を使用することは効果的である。
【００１２】
本発明に用いる前記テアフラビン類には、テアフラビンの他、テアフラビン誘導体が含まれる。テアフラビン誘導体としては、テアフラビンモノガラート、テアフラビンジガラート、メチル化テアフラビンなどが挙げられる。より具体的には、テアフラビンモノガラートは、テアフラビン−３−ガラート、テアフラビン−３’−ガラートなどが挙げられ、テアフラビンジガラートは、テアフラビン−３，３’−ジガラートなどが挙げられ、メチル化テアフラビンは、テアフラビン３−Ｏ−（３−Ｏ−メチル）ガラート、テアフラビン３−Ｏ−（３，５−Ｏ−ジメチル）ガラート、テアフラビン３’−Ｏ−（３−Ｏ−メチル）ガラート、テアフラビン３’−Ｏ−（４−Ｏ−メチル）ガラート、テアフラビン３’−Ｏ−（３，５−Ｏ−ジメチル）ガラート、テアフラビン３’−Ｏ−（３，４−Ｏ−ジメチル）ガラート、テアフラビン３，３’−ジ−Ｏ−ガラート、テアフラビン３−Ｏ−ガラート,３’−Ｏ−（３−Ｏ−メチル）ガラート 、テアフラビン３−Ｏ−ガラート,３’−Ｏ−（４−Ｏ−メチル）ガラート、テアフラビン３−Ｏ−ガラート,３’−Ｏ−（３，５−Ｏ−ジメチル）ガラートなどが挙げられる。  
上記テアフラビン類の中の１種を、本発明の筆記具用水性インキ組成物の抗菌性物質として単独で用いても良いし、２種類以上を組み合わせて用いても良い。
【００１３】
本発明に用いる抗菌性物質としては、カテキン類を更に併用しても良い。
カテキン類としては、エピカテキン、エピガロカテキン、エピカテキンガラート、エピガロカテキンガラートなどが挙げられる。
カテキン類をテアフラビン類と併用する際には、上記カテキン類の中の１種類または２種類以上を組み合わせて用いることができる。
【００１４】
テアフラビン類およびカテキン類は、植物およびその発酵物などに含まれるポリフェノールの１種であり、主に天然物に由来するものである。従って、テアフラビン類およびカテキン類の安全性は、従来から用いられている抗菌性物質と比較して極めて高いものである。
筆記具用水性インキ組成物の抗菌性物質としてこれらを用いると、該インキ組成物は、インキ瓶などのインキ保管容器に収容され、該容器からインキを分取して筆記具に充填して使用する筆記具や、筆記具用水性インキ組成物がカートリッジなどに収容され、該カートリッジを付け替えてインキを補充する筆記具のような、インキが使用者の皮膚などに付着してしまう可能性が高く、安全面に特に配慮が必要な筆記具に用いるインキ組成物として特に有用なものとなる。
また、筆記具用水性インキ組成物を、開閉口を備えるインキ瓶などに収容して使用する場合、該インキ組成物を乳幼児などが誤飲してしまう可能性があるため、食品添加物にも用いられるような安全性の高いテアフラビン類やカテキン類を筆記具用水性インキ組成物の抗菌性物質として用いることは極めて有効である。
また、筆記具用水性インキ組成物が、インキ瓶などの開閉口を備えるインキ保管容器に収容され、該インキ組成物を保管容器から分取して筆記具に使用する場合は、インキ組成物が外気に触れる機会が多く、微生物が混入、繁殖し、異物が発生しやすいため、従来の抗菌性物質では、安全性の面からその添加量が制限され満足な抗菌効果を得ることができないなどの課題を有していた。しかし、安全性の極めて高いテアフラビン類やカテキン類を抗菌剤物質として使用することで、抗菌効果を得るための量を添加することができるようになり、前記課題を解決できるものとなる。このことからも、人体や環境に対する安全性が重要視される筆記具用水性インキ組成物の抗菌性物質として、テアフラビン類やカテキン類を用いることは有効である。
【００１５】
本発明に用いられるテアフラビン類やカテキン類は、一般に天然物から抽出し精製することによって入手することができるが、化学合成品でも差し支えなく、抗菌性物質として用いることができる。
【００１６】
また、本発明による筆記具用水性インキ組成物は、抗菌性物質として、テアフラビン類以外に、カテキン類を更に含むことができる。
同一の抗菌性物質を使用し続けると、抗菌性物質に耐性をもつ微生物（以下耐性菌という）が繁殖することがある。筆記具用水性インキ組成物は、外気に触れる機会が多いため、該インキ組成物中に微生物が混入、繁殖しやすくなると同時に耐性菌が発生する確率も高くなる。該インキ組成物に複数種の抗菌性物質を併用することで、微生物が一方の抗菌性物質に耐性を持っていても、併用したもう一方の抗菌性物質により該微生物の繁殖を抑制することができる。そのため、本発明の筆記具用水性インキ組成物は、抗菌性物質として、テアフラビン類とカテキン類を併用した場合には、耐性菌の繁殖をより効果的に抑えることができる。
また、本発明の筆記具用水性インキ組成物は、抗菌性物質としてテアフラビン類とカテキン類を組み合わせたことにより、耐性菌に対しても抗菌効果が得られるとともに、前述のように天然物に由来する抗菌性物質を組み合わせてなるため、より高い安全性が得られるものとなる。
【００１７】
本発明による筆記具用水性インキ組成物は、テアフラビン類やカテキン類以外に任意の抗菌性物質を併用することも可能である。
上記抗菌性物質の具体例としては、２−メチル−４−イソチアゾリン−３−オン、２−ｎ−オクチル−４−イソチアゾリン−３−オン、１，２−ベンズイソチアゾリン−３−オン、５−クロロ−２−メチル−４−イソチアゾリン−３−オン、４，５−ジクロロ−２−ｎ−オクチル−４−イソチアゾリン−３−オン、２−メチル−４，５−トリメチレン−４−イソチアゾリン−３オン、Ｎ−（ｎ−ブチル）−１，２−ベンズイソチアゾリン−３−オン、２−ピリジンチオール−１−オキシドナトリウム、安息香酸ナトリウム、ベンゾトリアゾール及びフェノールなどが挙げられる。
本発明の筆記具用水性インキ組成物は、上記のような従来から使用される抗菌性物質を併用することが可能なため、耐性菌に対する抗菌効果をより向上することができる。更に、本発明の筆記具用水性インキ組成物に、上記のような従来から使用され安全性にやや課題のある抗菌性物質を併用した場合、その抗菌性物質の添加量を従来の添加量より減らすことができるため、筆記具用水性インキ組成物の安全性を向上することができる。
【００１８】
本発明において用いることができる着色剤としては、通常、筆記具用水性インキ組成物に用いる染料、顔料などが挙げられる。
【００１９】
染料としては、水性媒体に溶解もしくは分散可能な染料が全て使用可能であり、酸性染料、塩基性染料、反応性染料、直接染料、分散染料、食用色素など各種染料が挙げられ、これらを単独で、または２種以上組み合わせて用いることができる。
【００２０】
具体的には、酸性染料としては、Ｃ．Ｉ．アシッドレッド１８、Ｃ．Ｉ．アシッドレッド５１、Ｃ．Ｉ．アシッドレッド５２、Ｃ．Ｉ．アシッドレッド８７、Ｃ．Ｉ．アシッドレッド９２、Ｃ．Ｉ．アシッドレッド２８９、Ｃ．Ｉ．アシッドオレンジ１０、Ｃ．Ｉ．アシッドイエロー３、Ｃ．Ｉ．アシッドイエロー７、Ｃ．Ｉ．アシッドイエロー２３、Ｃ．Ｉ．アシッドイエロー４２、Ｃ．Ｉ．アシッドグリーン３、Ｃ．Ｉ．アシッドグリーン１６、Ｃ．Ｉ．アシッドブルー１、Ｃ．Ｉ．アシッドブルー９、Ｃ．Ｉ．アシッドブルー２２、Ｃ．Ｉ．アシッドブルー９０、Ｃ．Ｉ．アシッドブルー２３９、Ｃ．Ｉ．アシッドブルー２４８、Ｃ．Ｉ．アシッドバオレット１５、Ｃ．Ｉ．アシッドバイオレット４９、Ｃ．Ｉ．アシッドブラック１、Ｃ．Ｉ．アシッドブラック２、塩基性染料としては、Ｃ．Ｉ．ベーシックオレンジ２、Ｃ．Ｉ．ベーシックオレンジ１４、Ｃ．Ｉ．ベーシックグリーン４、Ｃ．Ｉ．ベーシックブルー９、Ｃ．Ｉ．ベーシックブルー２６、Ｃ．Ｉ．ベーシックバイオレット１、Ｃ．Ｉ．ベーシックバイオレット３、Ｃ．Ｉ．ベーシックバイオレット１０、直接染料としては、Ｃ．Ｉ．ダイレクトレッド２８、Ｃ．Ｉ．ダイレクトイエロー４４、Ｃ．Ｉ．ダイレクトブルー８６、Ｃ．Ｉ．ダイレクトブルー８７、Ｃ．Ｉ．ダイレクトバイオレット５１、Ｃ．Ｉ．ダイレクトブラック１９、食用色素としては、Ｃ．Ｉ．フードイエロー３、Ｃ．Ｉ．フードブラック２などが挙げられる。
【００２１】
染料の種類によっては、染料が微生物の養分となり、微生物が増殖するものがあるが、テアフラビン類を含む抗菌性物質にすることにより、その繁殖を抑制することが可能となる。特に、Ｃ．Ｉ．アシッドブルー９０、Ｃ．Ｉ．ダイレクトブルー８７の染料を用いた場合、微生物の養分となり、微生物が増殖する傾向が強いが、本発明のテアフラビン類を含む抗菌性物質を用いることで、その増殖を抑制することができる。このように、本発明の筆記具用水性インキ組成物では、従来用いることが制限されていた染料についても使用が可能となり、筆記具用水性インキ組成物としての材料の選択範囲が広がることとなる。
【００２２】
本発明による筆記具用水性インキ組成物は、インキ物性や機能を向上させる目的で、水溶性有機溶剤、ｐＨ調整剤、保湿剤、防錆剤などの各種添加剤を含んでもよい。ただし、添加剤においても安全性の高い材料を選択することが好ましい。
【００２３】
水溶性有機溶剤としては、（ｉ）エチレングリコール、ジエチレングリコール、トリエチレングリコール、ポリエチレングリコール、またはグリセリンなどのグリコール類、（ｉｉ）メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコールなどのアルコール類、および（ｉｉｉ）エチレングリコールモノメチルエーテル、エチレングリコールモノエチルエーテル、３−メトキシブタノール、または３−メトキシ−３−メチルブタノールなどのグリコールエーテル類などが挙げられる。
【００２４】
ｐＨ調整剤としては、アンモニア、炭酸ナトリウム、リン酸ナトリウム、水酸化ナトリウム、酢酸ナトリウムなどの無機塩類、トリエタノールアミンやジエタノールアミンなどの水溶性のアミン化合物などの有機塩基性化合物、乳酸およびクエン酸などが挙げられる。
【００２５】
保湿剤としては、前記水溶性有機溶剤の他に尿素、またはソルビットなどが挙げられる。また、防錆剤としては、ベンゾトリアゾールおよびその誘導体、トリルトリアゾール、ジシクロヘキシルアンモニウムナイトライト、ジイソプロピルアンモニウムナイトライト、チオ硫酸ナトリウム、エチレンジアミン四酢酸塩、サポニン、またはジアルキルチオ尿素などが挙げられる。また、水溶性樹脂として、アクリル系樹脂、アルキッド樹脂、セルロース誘導体、ポリビニルピロリドン、ポリビニルアルコールなどを用いることができる。さらに、樹脂エマルジョンとして、アクリル系樹脂、ウレタン系樹脂、スチレン−ブタジエン系樹脂、ポリエステル系樹脂、酢酸ビニル系樹脂など含むエマルジョンを添加することができる。
【００２６】
さらには、溶剤の浸透性を向上させるフッ素系界面活性剤やノニオン、アニオン、カチオン系界面活性剤、ジメチルポリシロキサンなどの消泡剤を添加することもできる。
【００２７】
＜インキ組成物の製造方法＞
本発明による筆記具用水性インキ組成物は、従来知られている任意の方法により製造することができる。具体的には、前記各成分を必要量配合し、プロペラ攪拌、ホモディスパー、またはホモミキサーなどの各種攪拌機やビーズミルなどの各種分散機などにて混合し、製造することができる。
【００２８】
本発明の筆記具用水性インキ組成物は、万年筆、ボールペン、筆ペン、カリグラフィー用のペン、マーカー類など各種筆記具に用いることできる他、インキ瓶などの開閉口を備えるインキ保管容器に収容し使用することが可能である。
特に、本発明の筆記具用水性インキ組成物は、万年筆などのくし溝を利用したインキ供給機構を備える筆記具やマーカーなどの毛細管力を利用したインキ供給機構を備える筆記具に対して有効に利用できる。このようなインキ供給機構を備える筆記具は、そのインキ供給機構の特徴から、微生物の繁殖などが原因で生じる析出物や凝集物などの異物により、インキ供給路が狭くなって筆跡がかすれたり、インキ供給路が塞がれて筆記不能となったりする可能性が高い。そのため、異物の発生が抑制可能な本発明の筆記具用水性インキ組成物は、くし溝を利用したインキ供給機構を備える筆記具や毛細管力を利用したインキ供給機構を備える筆記具に使用した場合、良好な筆跡性能を得ることができるのである。
【００２９】
また、本発明の筆記具用水性インキ組成物は、保存安定性や安全性に優れていることから、インキ瓶などのインキ保管容器にインキが収容され、該保管容器から分取して筆記具に充填して使用する筆記具のインキとして好ましく用いることができる。
【００３０】
特に、万年筆は、くし溝を利用したインキ供給機構であるため、微生物の繁殖などが原因で生じる異物により筆記性能に問題が生じたり、インキ瓶などの保管容器からインキを充填して使用する可能性が高く、該インキが外気に触れる機会や使用者の皮膚に触れる機会が多いことから、異物の抑制が可能で、かつ安全性や保存安定性の優れた本発明の筆記具用水性インキ組成物を好適に用いることができる。
【実施例】
【００３１】
以下、本発明の実施例を挙げ、説明する。
＜実施例＞
下記の配合組成および方法により、筆記具用水性インキ組成物を得た。
抗菌性物質（テアフラビン類：カテキン類＝５：３の混合物）０．０８質量％
Ｃ．Ｉ．アシッドブルー９０（着色剤：染料）                ０．５質量％
Ｃ．Ｉ．ダイレクトブルー８７（着色剤：染料）              ０．５質量％
エチレングリコール（水溶性有機溶剤）                      ２．０質量％
トリエタノールアミン（ｐＨ調整剤）                        １．０質量％
イオン交換水                                                     残部                                        
イオン交換水に水溶性有機溶剤、ｐＨ調整剤、抗菌性物質を添加し、プロペラ攪拌により混合してベース液を得た。その後、ベース液に着色剤を添加し、プロペラ攪拌により混合して、筆記具用水性インキ組成物を得た。
【００３２】
＜比較例＞
抗菌性物質を添加しない以外は、実施例と同じ方法で筆記具用水性インキ組成物を得た。
【００３３】
上記、実施例および比較例の対比により、テアフラビン類を含む筆記具用水性インキ組成物の抗菌性能、保存安定性能および筆記性能を確認することができた。
【産業上の利用可能性】
【００３４】
本発明の筆記具用水性インキ組成物は、万年筆、ボールペン、筆ペン、カリグラフィー用のペン、マーカー類など各種筆記具のインキとして用いることができる他、インキ瓶などの開閉口を備えるインキ保管容器に収容し使用することができる。特に、保存安定性および人体、環境への安全性の向上が図られていることから、万年筆やつけペンなどのインキが外気に触れることが多い筆記具やインキを補充する際にインキが使用者の皮膚などに触れる可能性が高い筆記具に好適に用いることができる。